(57)【要約】      （修正有）【課題】「Ｂ６カード」等の収納並びに持ち運びに際し、必要なときに文具等を迅速に取り出して使用することができる文具収納バッグを提供する。【解決手段】本体１と蓋体２をファスナ３で開閉する文具収納バッグにおいて、本体１の内部１０には、少なくともＪＩＳ「Ｂ６」サイズのカード４，４を保持可能なバインダ１１及び収納ポケット１２を備え、蓋体２の内部２０には、少なくともＪＩＳ「Ｂ６」サイズのカードを収納可能な収納ポケット２１と、この収納ポケット２１の上部に設けた名刺サイズのカード収納ポケット２２と、収納ポケット２１とファスナ３の間に設けたペンホルダ５と、を備え、本体１の内部１０と蓋体２の内部２０との間に、ファスナ６によって開閉する小物収納部７を備えた。【選択図】図２
0003153057.tif 000002
【実用新案登録請求の範囲】
【請求項１】
本体１と蓋体２をファスナ３で開閉する文具収納バッグにおいて、
前記本体１の内部１０には、少なくともＪＩＳ「Ｂ６」サイズのカード４，４を保持可能なバインダ１１及び収納ポケット１２を備え、
前記蓋体２の内部２０には、少なくともＪＩＳ「Ｂ６」サイズのカードを収納可能な収納ポケット２１と、この収納ポケット２１の上部に設けた名刺サイズのカード収納ポケット２２と、上記収納ポケット２１と前記ファスナ３の間に設けたペンホルダ５と、を備え、
更に、前記本体１の内部１０と前記蓋体２の内部２０との間に、ファスナ６によって開閉する小物収納部７を備えたことを特徴とする文具収納バッグ。
【考案の詳細な説明】
【技術分野】
【０００１】
本考案は、文具を収納して持ち運びに便利な小型バッグに関する。
【背景技術】
【０００２】
従来、カード、メモ帳、ノート、筆記具等の文具を収納するバッグが知られている。この種の文具収納バッグは、本体と蓋体をファスナで開閉するタイプのものや、本体と蓋体の縁に設けた所謂蓋体ストッパにより開閉するタイプのものがある。
【０００３】
また、文具収納バッグの内部には、カード、メモ帳、ノート、筆記具等の文具に対応して収納できるように、それぞれに適合する各収納ポケット等が設けられているのが一般的である。この種のバッグや収納セットとしては、後記特許文献１〜５に記載されたものが知られている。
【先行技術文献】
【特許文献】
【０００４】
【特許文献１】実開平１−９５３８２号公報
【特許文献２】実開平３−６８４７４号公報
【特許文献３】特開２００３−２５０６１８号公報
【特許文献４】特開２００７−１７６１２４号公報
【特許文献５】登録第３１２２３７２号実用新案公報
【考案の概要】
【考案が解決しようとする課題】
【０００５】
上記各特許文献に記載されている文具収納バッグ等は、各種の文具に対応した木目細かな構造を具備しているが、使用者の多様な要望に応えようとするあまり、汎用性がありすぎて、特定の文具に焦点を合せるような個性を持ち合わせていない欠点がある。
【０００６】
ところで、１９６９年７月に第１刷発行された知的生産の技術に関する書籍により、所謂京大カードないし京大式カードが脚光を浴びたことはよく知られている。このカードは、ＪＩＳ「Ｂ６」サイズ（１２８×１８２ｍｍ）のカード（以下、「Ｂ６カード」と言う。）であり、１つのテーマを１枚に記入するには打ってつけであるとして、研究開発者の間で情報整理に用いられていたが、上記書籍で紹介されて以来、一般人も知るようになった。
【０００７】
この「Ｂ６カード」は、研究開発や学習等の情報整理として極めて有用なツールとして定評があるが、その高機能性にもかかわらずビジネスの分野では、使い勝手に問題があって、従来は殆ど使用されていないのが実情である。
【０００８】
また、「Ｂ６カード」は、使用前後の各カードは別々に扱われ、また、場合によっては持ち運ぶため、それらを纏めて収納することが要請される。そのため、「Ｂ６カード」をプラスチックケースに入れて使用することも見聞きされるが、この「Ｂ６カード」専用の収納バッグは未だ見当たらないのが実情である。
【０００９】
本考案は、とりわけ「Ｂ６カード」に着目し、この「Ｂ６カード」の収納並びに持ち運びに供するために案出されたものであり、併せて筆記具等も収納することができ、必要なときに迅速に取り出して使用することができる文具収納バッグを提案するものである。
【課題を解決するための手段】
【００１０】
本考案は、後記具体例で用いた符号を付して記すと、本体１と蓋体２をファスナ３で開閉する文具収納バッグにおいて、前記本体１の内部１０には、少なくともＪＩＳ「Ｂ６」サイズのカード４，４を保持可能なバインダ１１及び収納ポケット１２を備え、前記蓋体２の内部２０には、少なくともＪＩＳ「Ｂ６」サイズのカードを収納可能な収納ポケット２１と、この収納ポケット２１の上部に設けた名刺サイズのカード収納ポケット２２と、上記収納ポケット２１と前記ファスナ３の間に設けたペンホルダ５と、を備え、更に、前記本体１の内部１０と前記蓋体２の内部２０との間に、ファスナ６によって開閉する小物収納部７を備えた構成の文具収納バッグである。
【考案の効果】
【００１１】
以上のとおり、本考案の文具収納バッグは、前記本体１の内部１０に「Ｂ６カード」を保持可能なバインダ１１、同様に収納ポケット１２を備え、更に、前記蓋体２の内部２０にも「Ｂ６カード」を収納可能な収納ポケット２１を備えているので、「Ｂ６カード」の使用前及び使用後の各「Ｂ６カード」を各々区分けすることができて便宜である。
【００１２】
また、収納ポケット２１の上部には名刺サイズのカード収納ポケット２２や、上記収納ポケット２１と前記ファスナ３の間にはペンホルダ５が備えられており、更に、前記本体１の内部１０と前記蓋体２の内部２０との間に、ファスナ６によって開閉する小物収納部７を備えているので、必要なときにファスナを開いて「Ｂ６カード」を取り出し、同じく収納されている筆記具等を取り出して使用することができるものである。
【００１３】
また、ファスナ３を開いて本体１と蓋体２を見開きにすればバインダ１１が本体１の内部１０に設けられているので、このバインダ１１に保持される「Ｂ６カード」に、ペンホルダ５に保持されるペン等を使用して、すぐに記載することができる。このように、本考案によれば、事に当たって迅速な対応ができて頗る便利である。
【図面の簡単な説明】
【００１４】
【図１】本考案に係る文具収納バッグの開いた状態を示す正面図である。
【図２】本考案に係る文具収納バッグの開いた状態を示す正面図である。
【図３】本考案に係る文具収納バッグの開いた状態を示す正面図である。
【図４】本考案に係る文具収納バッグの斜視図である。
【考案を実施するための形態】
【００１５】
図１乃至図４において、本考案の一具体例に係る文具収納バッグは、本体１と蓋体２をファスナ３で開閉するタイプの文具収納バッグである。見開いた状態において、前記本体１の内部１０には、少なくとも「Ｂ６カード」等のカード４，４を保持可能なバインダ１１と、同じく、「Ｂ６カード」等のカード４，４を収納可能な及び収納ポケット１２を備える。
【００１６】
この例では、バインダ１１に装着されるカード４は、バインダ１１の止めリングに適合する数の孔４ａ，４ａを備えており、また、孔４ａ，４ａの近傍の箇所には、取外し用のミシン目４ｂが設けられている。
【００１７】
前述したように、「Ｂ６カード」は、ＪＩＳ「Ｂ６」サイズ（１２８×１８２ｍｍ）のカードであるが、本例のカード４は、「Ｂ６カード」の長辺を１５ｍｍ延長して１９７ｍｍとし、上述したように、端部に１３箇所の孔４ａ，４ａを形成し、端縁より１５ｍｍの部位にミシン目４ｂを設けている。必要によりミシン目４ｂの部位で端部を切り離すことにより、「Ｂ６カード」を得ることができるように工夫したものである。
【００１８】
また、前記蓋体２の内部２０には、少なくとも「Ｂ６カード」等のカード４０，４０を収納可能な収納ポケット２１と、この収納ポケット２１の上部に設けた名刺サイズのカード４１を収納する収納ポケット２２と、上記収納ポケット２１と前記ファスナ３の間に設けたペンホルダ５と、を備える。
【００１９】
更に、前記本体１の内部１０と前記蓋体２の内部２０との間に、ファスナ６によって開閉する小物収納部７を備える。図３では、この小物収納部７に、例えば消しゴムやのり、ステイプラ等の小物８，８を収納することができる。
【００２０】
本例の文具収納バッグにおいては、前記本体１の内部１０の収納ポケット１２は、２つ設けている。この収納ポケット１２には、「Ｂ６カード」等のカード４のほか、例えば図３に示すように、これよりも小さなカード４２（中型サイズ）を収納してもよいことは言うまでもない。
【００２１】
また、ペンホルダ５には、ペン５０を装着する。この例のように、ペン５０のキャップクリップ５０ａをペンホルダ５に引っ掛けると、複数の筆記具を装着することができるので便利である。
【００２２】
本例では、前記本体１と蓋体２を開閉するファスナ３及び、小物収納部７を開閉するファスナ６は、それぞれ２つのスライダ３ａ，３ａ及びスライダ６ａ，６ａを設けている。このように２つのスライダを設けた場合は、これらの開閉が容易になされ得るので便利である。
【００２３】
本例の文具収納バッグは、前記本体１の内部１０にカード４，４を保持可能なバインダ１１と、同様にカード４，４及び「Ｂ６カード」を収納可能な収納ポケット１２を備え、更に、前記蓋体２の内部２０にもカード４，４及び「Ｂ６カード」を収納可能な収納ポケット２１を備えているので、「Ｂ６カード」の使用前及び使用後の各カード４，４を各々区分けすることができるので、使用に際して便宜である。
【００２４】
また、収納ポケット２１の上部には名刺サイズのカード収納ポケット２２や、上記収納ポケット２１と前記ファスナ３の間にはペンホルダ５が備えられており、更に、前記本体１の内部１０と前記蓋体２の内部２０との間に、ファスナ６によって開閉する小物収納部７を備えているので、必要なときにファスナを開いて「Ｂ６カード」を取り出し、同じく収納されている筆記具等を取り出して使用することができて、極めて便利である。
【００２５】
また、ファスナ３を開いて本体１と蓋体２を見開きにすればバインダ１１が本体１の内部１０に設けられているので、このバインダ１１に保持される「Ｂ６カード」に、ペンホルダ５に保持されるペン等を使用して、すぐに記載することができるものである。
【００２６】
上述したように、本例の文具収納バッグによれば、情報収集時にはカード４，４をバインダ１１に保持しておくことにより、携帯の至便性を高め、且つ散逸の防止を図り得て、使用目的状況の時系列的変化を把握し易くなり、また、適宜ミシン目４ｂの部位で切り離すことにより、「Ｂ６カード」となって他の「Ｂ６カード」と一緒に保管することができので、検索性の向上が図れるとともに、並べ替えによるアイデアの創出に便利な形態を得ることができるものである。このように、本例の実施態様によれば、「Ｂ６カード」に改良を加えてより柔軟な使用を可能とし、本案のツールによる利便性の向上によって、ビジネス分野に広く「Ｂ６カード」の利用を慫慂し、業務処理能力の向上及び事務処理コストの低減を図り得るばかりか、新規アイデアの創出に大いに寄与することができるものである。
【００２７】
以上説明した本例の文具収納バッグは、上述の具体例に限られることなく、本考案の趣旨を逸脱しない範囲において、適宜の改変を加えることができるものである。
【産業上の利用可能性】
【００２８】
本考案の文具収納バッグは、研究開発や学習等に際し、「Ｂ６カード」等を用いてメモや情報整理を行う場合の携帯アイテムとして好適である。
【符号の説明】
【００２９】
１    本体
２    蓋体
３    ファスナ
３ａ    スライダ
４    カード
４ａ    孔
４ｂ    ミシン目
５    ペンホルダ
６    ファスナ
６ａ    スライダ
７    小物収納部
８    小物類
１０    内部
１１    バインダ
１２    収納ポケット
２０    内部
２１    収納ポケット
２２    収納ポケット
４０    カード（Ｂ６）
４１    カード（名刺サイズ）
４２    カード（中型サイズ）
５０    ペン
５０ａ    キャップクリップ
【図１】
0003153057.tif 000003
【図２】
0003153057.tif 000004
【図３】
0003153057.tif 000005
【図４】
0003153057.tif 000006